(57)【要約】【課題】用途に応じて接続方式を簡単に切り替えることができるようにする。【解決手段】ユーザがテレビで画像の閲覧を行うためにテレビに記録メディアを挿入すると、プリンタとの接続も完了し、お気に入りの画像をすぐに印刷できる状態となる。また、ユーザがプリンタでダイレクト印刷を行うためにプリンタに記録メディアを挿入すると、テレビとの接続も完了し、印刷メニューやレイアウトをテレビ画面で確認できる状態となる。【選択図】図１
2010098692.tif 000002
【特許請求の範囲】
【請求項１】
記録媒体を装着可能な印刷装置から受信した画像データ、または記録媒体に記録された画像データに基づく画像を表示部に表示する表示装置であって、
前記印刷装置からデータを受信するための第１の通信プロトコル、または前記印刷装置にデータを送信するための第２の通信プロトコルによって前記印刷装置と通信を行う通信手段と、
前記記録媒体が装着されているか否かを検出する記録媒体検出手段と、
前記記録媒体検出手段による検出の結果に応じて、前記第１の通信プロトコルと前記第２の通信プロトコルとを切り替える切り替え手段とを有することを特徴とする表示装置。
【請求項２】
前記通信手段は、電源を投入した直後は前記第１の通信プロトコルを使用する状態となることを特徴とする請求項１に記載の表示装置。
【請求項３】
前記切り替え手段は、前記記録媒体検出手段により前記記録媒体の装着を検出すると、前記第１の通信プロトコルから前記第２の通信プロトコルへ切り替えることを特徴とする請求項１又は２に記載の表示装置。
【請求項４】
前記通信手段によって前記印刷装置と前記第１の通信プロトコルによって接続されている状態において、前記記録媒体検出手段により前記記録媒体の装着を検出した場合、既に接続が確立させていることを知らせるメッセージを前記表示部に表示する表示制御手段をさらに有することを特徴とする請求項３に記載の表示装置。
【請求項５】
前記印刷装置と前記第１の通信プロトコルによって接続されている状態で前記記録媒体検出手段により前記記録媒体の装着を検出した場合において、ユーザの操作に応じて接続の切り替えが指示されると、前記通信手段は、前記印刷装置において前記第１の通信プロトコルから前記第２の通信プロトコルへ切り替えるためのコマンドを前記印刷装置に送信することを特徴とする請求項４に記載の表示装置。
【請求項６】
前記切り替え手段によって前記第２の通信プロトコルに切り替わった後に、前記通信手段によって前記印刷装置と接続できない場合、その旨を知らせるメッセージを前記表示部に表示する表示制御手段をさらに有することを特徴とする請求項３に記載の表示装置。
【請求項７】
前記第２の通信プロトコルに切り替わった後に、前記記録媒体検出手段により前記記録媒体の装着を検出しない場合、前記切り替え手段は、前記第２の通信プロトコルから前記第１の通信プロトコルへ切り替えることを特徴とする請求項３に記載の表示装置。
【請求項８】
記録媒体を装着可能な表示装置から受信した画像データ、または記録媒体に記録された画像データに基づく画像を印刷する印刷装置であって、
前記表示装置にデータを送信するための第１の通信プロトコル、または前記表示装置からデータを受信するための第２の通信プロトコルによって前記表示装置と通信を行う通信手段と、
前記記録媒体が装着されているか否かを検出する記録媒体検出手段と、
前記記録媒体検出手段による検出の結果に応じて、前記第１の通信プロトコルと前記第２の通信プロトコルとを切り替える切り替え手段とを有することを特徴とする印刷装置。
【請求項９】
前記通信手段は、電源を投入した直後は前記第２の通信プロトコルを使用する状態となることを特徴とする請求項８に記載の印刷装置。
【請求項１０】
前記切り替え手段は、前記記録媒体検出手段により前記記録媒体の装着を検出すると、前記第２の通信プロトコルから前記第１の通信プロトコルへ切り替えることを特徴とする請求項８又は９に記載の印刷装置。
【請求項１１】
前記通信手段によって前記表示装置と前記第２の通信プロトコルによって接続されている状態において、前記記録媒体検出手段により前記記録媒体の装着を検出した場合、既に接続が確立させていることを知らせるメッセージを表示部に表示する表示制御手段をさらに有することを特徴とする請求項１０に記載の印刷装置。
【請求項１２】
前記表示装置と前記第２の通信プロトコルによって接続されている状態で前記記録媒体検出手段により前記記録媒体の装着を検出した場合において、ユーザの操作に応じて接続の切り替えが指示されると、前記通信手段は、前記表示装置において前記第２の通信プロトコルから前記第１の通信プロトコルへ切り替えるためのコマンドを前記表示装置に送信することを特徴とする請求項１１に記載の印刷装置。
【請求項１３】
前記切り替え手段によって前記第１の通信プロトコルに切り替わった後に、前記通信手段によって前記表示装置と接続できない場合、その旨を知らせるメッセージを表示部に表示する表示制御手段をさらに有することを特徴とする請求項１０に記載の印刷装置。
【請求項１４】
前記第１の通信プロトコルに切り替わった後に、前記記録媒体検出手段により前記記録媒体の装着を検出しない場合、前記切り替え手段は、前記第１の通信プロトコルから前記第２の通信プロトコルへ切り替えることを特徴とする請求項１０に記載の印刷装置。
【請求項１５】
請求項１〜７の何れか１項に記載の表示装置と、請求項８〜１４の何れか１項に記載の印刷装置とを有することを特徴とする通信システム。
【請求項１６】
記録媒体を装着可能な印刷装置から受信した画像データ、または記録媒体に記録された画像データに基づく画像を表示部に表示する表示装置においてコンピュータに実行させるプログラムであって、
前記印刷装置からデータを受信するための第１の通信プロトコル、または前記印刷装置にデータを送信するための第２の通信プロトコルによって前記印刷装置と通信を行う通信工程と、
前記記録媒体が装着されているか否かを検出する記録媒体検出工程と、
前記記録媒体検出工程における検出の結果に応じて、前記第１の通信プロトコルと前記第２の通信プロトコルとを切り替える切り替え工程とをコンピュータに実行させることを特徴とするプログラム。
【請求項１７】
記録媒体を装着可能な表示装置から受信した画像データ、または記録媒体に記録された画像データに基づく画像を印刷する印刷装置においてコンピュータに実行させるプログラムであって、
前記表示装置にデータを送信するための第１の通信プロトコル、または前記表示装置からデータを受信するための第２の通信プロトコルによって前記表示装置と通信を行う通信工程と、
前記記録媒体が装着されているか否かを検出する記録媒体検出工程と、
前記記録媒体検出工程における検出の結果に応じて、前記第１の通信プロトコルと前記第２の通信プロトコルとを切り替える切り替え工程とをコンピュータに実行させることを特徴とするプログラム。
【発明の詳細な説明】
【技術分野】
【０００１】
本発明は表示装置、印刷装置、通信システム及びプログラムに関し、特に、画像を確認して印刷を行うために用いて好適な技術に関する。
【背景技術】
【０００２】
昨今のプリンタでは、デジタルカメラ等で撮影したデジタル画像データ（以下、画像データ）を記録した記録メディアを挿入可能なカードスロットを備えている。さらに、パーソナルコンピュータ（以下、ＰＣ）と接続せずに、プリンタ単体で記録メディアに記録された画像データに係る画像を印刷する機能を有するものがある。
【０００３】
このようなプリンタでは、プリンタが備える専用液晶モニタによって画像や印刷メニュー等を表示し、その表示に従って操作パネル等により各種の設定、印刷処理を行うことができるものが一般的である。しかし、プリンタ専用の液晶モニタは小型であり、ユーザにとって必ずしも快適に画像の閲覧を行うことができるものではない。このことから、プリンタに接続した外部モニタに画像や印刷メニュー等を表示させることにより、利便性の向上を図るものもある（例えば、特許文献１参照）。
【０００４】
ところで、上述の外部モニタとしてはＰＣ用ディスプレイなどが挙げられるが、デジタルテレビ（以下、テレビ）もその１つとして考えられる。昨今のテレビでは、記録メディアを挿入可能なカードスロットを備えたものもあり、記録メディアに記録された画像データに係る画像を高精細な大画面で閲覧することができる。また、プリンタと接続することにより、その画像をテレビの操作によって印刷することも可能である。
【０００５】
上述のようにテレビとプリンタとを接続することにより、テレビ側の画像を閲覧しながらプリンタへ印刷データを送信したり、プリンタでの印刷処理の様子をテレビで閲覧したりすることが可能である。このときの機器間の接続手段としては、例えば前者の場合はＵＳＢ（Universal Serial Bus）、後者の場合はＨＤＭＩ（High-Definition Multimedia Interface）が想定される。そこで、両者を上述の通信方式などでワイヤレス接続することを考えると、それぞれの機器についてハードウェアの実装面積ができるだけ小さくて済むように単一の無線通信部のみを搭載することが望ましい。
【０００６】
【特許文献１】特開２００４−１３９３８６号公報
【発明の開示】
【発明が解決しようとする課題】
【０００７】
上述のように、テレビ側の画像を閲覧しながらプリンタへ印刷データを送信する場合、もしくはプリンタでの印刷処理の様子をテレビで閲覧したりする場合、通信する機器には２種類の接続方式（ＵＳＢまたはＨＤＭＩ）での接続が可能である。この２種類の接続方式を、用途に応じてユーザが手動で切り替えるのは煩雑であるという問題点があった。
【０００８】
本発明は前述の問題点に鑑み、用途に応じて接続方式を簡単に切り替えることができるようにすることを目的としている。
【課題を解決するための手段】
【０００９】
本発明の表示装置は、記録媒体を装着可能な印刷装置から受信した画像データ、または記録媒体に記録された画像データに基づく画像を表示部に表示する表示装置であって、前記印刷装置からデータを受信するための第１の通信プロトコル、または前記印刷装置にデータを送信するための第２の通信プロトコルによって前記印刷装置と通信を行う通信手段と、前記記録媒体が装着されているか否かを検出する記録媒体検出手段と、前記記録媒体検出手段による検出の結果に応じて、前記第１の通信プロトコルと前記第２の通信プロトコルとを切り替える切り替え手段とを有することを特徴とする。
【００１０】
本発明の印刷装置は、記録媒体を装着可能な表示装置から受信した画像データ、または記録媒体に記録された画像データに基づく画像を印刷する印刷装置であって、前記表示装置にデータを送信するための第１の通信プロトコル、または前記表示装置からデータを受信するための第２の通信プロトコルによって前記表示装置と通信を行う通信手段と、前記記録媒体が装着されているか否かを検出する記録媒体検出手段と、前記記録媒体検出手段による検出の結果に応じて、前記第１の通信プロトコルと前記第２の通信プロトコルとを切り替える切り替え手段とを有することを特徴とする。
【００１１】
本発明の通信システムは、前記に記載の表示装置と、前記に記載の印刷装置とを有することを特徴とする。
【００１２】
本発明のプログラムは、記録媒体を装着可能な印刷装置から受信した画像データ、または記録媒体に記録された画像データに基づく画像を表示部に表示する表示装置においてコンピュータに実行させるプログラムであって、前記印刷装置からデータを受信するための第１の通信プロトコル、または前記印刷装置にデータを送信するための第２の通信プロトコルによって前記印刷装置と通信を行う通信工程と、前記記録媒体が装着されているか否かを検出する記録媒体検出工程と、前記記録媒体検出工程における検出の結果に応じて、前記第１の通信プロトコルと前記第２の通信プロトコルとを切り替える切り替え工程とをコンピュータに実行させることを特徴とする。
また、本発明のプログラムの他の特徴とするところは、記録媒体を装着可能な表示装置から受信した画像データ、または記録媒体に記録された画像データに基づく画像を印刷する印刷装置においてコンピュータに実行させるプログラムであって、前記表示装置にデータを送信するための第１の通信プロトコル、または前記表示装置からデータを受信するための第２の通信プロトコルによって前記表示装置と通信を行う通信工程と、前記記録媒体が装着されているか否かを検出する記録媒体検出工程と、前記記録媒体検出工程における検出の結果に応じて、前記第１の通信プロトコルと前記第２の通信プロトコルとを切り替える切り替え工程とをコンピュータに実行させることを特徴とする。
【発明の効果】
【００１３】
本発明によれば、用途に応じて接続方式を簡単に切り替えることができる。これにより、ユーザの利便性を向上させることができる。
【発明を実施するための最良の形態】
【００１４】
（第１の実施形態）
以下、本発明の実施形態について図面を参照しながら説明する。
図１は、本実施形態に係る印刷システムの一例を示す図である。
図１において、無線通信機能を有するテレビ１０１と、同じく無線通信機能を有するプリンタ１０２とが、Ｗｉｒｅｌｅｓｓ  ＵＳＢ（以下、ＷＵＳＢ）もしくはＷｉｒｅｌｅｓｓ  ＨＤＭＩ（以下、ＷＨＤＭＩ）によって無線接続を行うことが可能である。
【００１５】
図１において、ＵＳＢ接続を行う場合としては、テレビ１０１に挿入された記録メディアに記録されている画像データに係る画像を閲覧している時に、お気に入りの画像が表示された場合である。この場合、リモコン等の操作によってテレビ１０１側から印刷処理の命令を実行し、印刷データをプリンタ１０２へ送信する。
【００１６】
また、ＨＤＭＩ接続を行う場合としては、プリンタ１０２に記録メディアを挿入して印刷を行う場合である。この場合、プリンタ１０２が備える小型液晶モニタでは画像やメニューが確認し辛いため、テレビ１０１に映像信号を出力し、印刷処理を行う際にテレビ１０１の大画面でその画像を閲覧できるようにする。
【００１７】
図２は、図１における印刷システムの概略構成例を示すブロック図であり、図１に示したテレビ１０１、及び図１に示したプリンタ１０２の基本的な構成例を示している。
図２に示すテレビ１０１において、表示部２０１には画像やメニュー等が表示される。ＣＰＵ２０２は、記録メディアスロット２０４に記録媒体として記録メディアが挿入されて記録メディアを検出した場合の無線通信手段の切り替えなど、バス２０９を介して各種制御を行う。
【００１８】
入力処理部２０３は、不図示のリモコンや操作パネル等から入力される各種ユーザコマンドを処理するためのものである。記録メディアスロット２０４は、画像データ等が記録された各種メディアを装着可能な挿入口である。ＨＤＭＩ  Ｓｉｎｋ２０５は、第１の通信プロトコルとしてＨＤＭＩのプロトコルに従って映像信号や制御信号の処理を行うためのものである。ＵＳＢ  Ｄｅｖｉｃｅ２０６は、第２の通信プロトコルとしてＵＳＢのプロトコルに従ってデータの処理を行うためのものである。コンバージェンス層２０７は、ＵＳＢとＨＤＭＩとのプロトコル間の協調制御を行う。また、ＵＷＢ無線通信部２０８は、プリンタ１０２との間でＵＷＢ通信を行うためのものである。
【００１９】
一方、プリンタ１０２も同様に、表示部２５１、ＣＰＵ２５２、入力処理部２５３、記録メディアスロット２５４、ＨＤＭＩ  Ｓｏｕｒｃｅ２５５、ＵＳＢ  Ｈｏｓｔ２５６、コンバージェンス層２５７、ＵＷＢ無線通信部２５８及びバス２５９を備えている。
なお、各装置における制御は、１つのハードウェアが行っても構わないし、複数のハードウェアが処理を分担することで全体として装置を制御する手段として機能するようにしてもよい。
【００２０】
図３は、本実施形態において、テレビ１０１側に記録メディアが挿入された場合の電源投入から無線接続が確立されるまでの動作手順の一例を示すフローチャートである。
図３において、テレビ１０１側の処理については、ステップＳ３０１において、テレビ１０１は電源ＯＦＦの状態にある。そして、ステップＳ３０２において、不図示の電源スイッチが操作されて入力信号が入力処理部２０３に入力されることにより、ＣＰＵ２０２は、テレビ１０１全体の電源をＯＮにする。
【００２１】
次に、ステップＳ３０３において、テレビ１０１側のＣＰＵ２０２の制御により、電源の投入直後にＷＨＤＭＩ  Ｓｉｎｋによる通信制御を開始する。ここで、テレビ１０１側の記録メディアスロット２０４に記録メディアが挿入されると、ステップＳ３０４において、ＣＰＵ２０２は記録媒体検出手段として機能することにより、記録メディアが挿入されたことを認識する。
【００２２】
次に、ステップＳ３０５において、テレビ１０１側のＣＰＵ２０２は、プロトコルの切り替えを行い、ＷＵＳＢ  Ｄｅｖｉｃｅによる通信制御を開始する。そして、ステップＳ３０６において、テレビ１０１側のＵＳＢ  Ｄｅｖｉｃｅ２０６は、既にＷＵＳＢ  Ｈｏｓｔによる通信制御のプリンタ１０２を検索し、検索したプリンタ１０２との間でネゴシエーションを行う。そして、ステップＳ３０７において、接続処理を完了する。
【００２３】
一方、プリンタ１０２側の処理については、ステップＳ３０８において、プリンタ１０２は電源ＯＦＦの状態にある。そして、ステップＳ３０９において、不図示の電源スイッチが操作されて入力信号が入力処理部２５３に入力されることにより、ＣＰＵ２５２は、プリンタ１０２全体の電源をＯＮにする。次に、ステップＳ３１０において、プリンタ１０２側のＣＰＵ２５２の制御により、ＷＵＳＢ  Ｈｏｓｔによる通信制御を開始する。
【００２４】
次に、ステップＳ３１１において、プリンタ１０２側のＵＳＢ  Ｈｏｓｔ２５６は、既にＷＵＳＢ  Ｄｅｖｉｃｅによる通信制御のテレビ１０１を検索し、検索したテレビ１０１との間でネゴシエーションを行う。そして、ステップＳ３１２において、接続処理を完了する。
【００２５】
図４は、本実施形態において、プリンタ１０２側に記録メディアが挿入された場合の電源投入から無線接続が確立されるまでの動作手順の一例を示すフローチャートである。
テレビ１０１側の処理については、まず、ステップＳ４０１において、テレビ１０１は電源ＯＦＦの状態にある。そして、ステップＳ４０２において、不図示の電源スイッチが操作されて入力信号が入力処理部２０３に入力されることにより、ＣＰＵ２０２は、テレビ１０１全体の電源をＯＮにする。
【００２６】
次に、ステップＳ４０３において、テレビ１０１側のＣＰＵ２０２の制御により、電源の投入直後にＷＨＤＭＩ  Ｓｉｎｋによる通信制御を開始する。そして、ステップＳ４０４において、テレビ１０１側のＨＤＭＩ  Ｓｉｎｋ２０５は、既にＷＨＤＭＩ  Ｓｏｕｒｓｅによる通信制御のプリンタ１０２を検索し、検索したプリンタ１０２との間でネゴシエーションを行う。そして、ステップＳ４０５において、接続処理を完了する。
【００２７】
一方、プリンタ１０２側の処理については、ステップＳ４０６において、プリンタ１０２は電源ＯＦＦの状態にある。そして、ステップＳ４０７において、不図示の電源スイッチが操作されて入力信号が入力処理部２５３に入力されることにより、ＣＰＵ２５２は、プリンタ１０２全体の電源をＯＮにする。次に、ステップＳ４０８において、プリンタ１０２側のＣＰＵ２５２の制御により、ＷＵＳＢ  Ｈｏｓｔによる通信制御を開始する。
【００２８】
ここで、プリンタ１０２側の記録メディアスロット２５４に記録メディアが挿入されると、ステップＳ４０９において、プリンタ１０２側のＣＰＵ２５２は記録媒体検出手段として機能することにより、記録メディアが挿入されたことを認識する。次に、ステップＳ４１０において、プリンタ１０２側のＣＰＵ２５２は、プロトコルの切り替えを行い、ＷＨＤＭＩ  Ｓｏｕｒｃｅによる通信制御を開始する。
【００２９】
次に、ステップＳ４１１において、プリンタ１０２側のＨＤＭＩ  Ｓｏｕｒｃｅ２５５は、既にＷＨＤＭＩ  Ｓｉｎｋによる通信制御のテレビ１０１を検索し、検索したテレビ１０１との間でネゴシエーションを行う。そして、ステップＳ４１２において、接続処理を完了する。
【００３０】
以上のように本実施形態の通信システムによれば、ユーザは、特に通信プロトコル（ＵＳＢ、ＨＤＭＩ）を意識する必要はなく、記録メディアの抜き差しを行うのみで接続を確立、もしくは接続形態を切り替えることができる。具体的には、例えば、ユーザがテレビで画像の閲覧を行うためにテレビに記録メディアを挿入すると、プリンタとの接続も完了し、お気に入りの画像をすぐに印刷できる状態となる。また、ユーザがプリンタでダイレクト印刷を行うためにプリンタに記録メディアを挿入すると、テレビとの接続も完了し、印刷メニューやレイアウトをテレビ画面で確認できる状態となる。
【００３１】
（第２の実施形態）
本実施形態では、どちらかの機器に記録メディアが挿入されて接続が確立した状態で、もう一方の機器にも記録メディアが挿入された場合について説明する。なお、テレビ及びプリンタの内部構成、及びテレビとプリンタとの接続処理については、第１の実施形態と同様であるため、説明は省略する。
【００３２】
図５は、本実施形態において、プリンタ１０２に記録メディアが挿入されて接続が確立した状態で、テレビ１０１に記録メディアが挿入された場合の接続処理手順の一例を示すフローチャートである。
テレビ１０１側の処理については、まず、ステップＳ５０１においては、図４に示した手順で記録メディアがプリンタ１０２に挿入されてＷＨＤＭＩの接続が確立している状態である。ここで、テレビ１０１の記録メディアスロット２０４に記録メディアが挿入されると、ステップＳ５０２において、テレビ１０１側のＣＰＵ２０２は記録メディアが挿入されたことを認識する。
【００３３】
次に、ステップＳ５０３において、ＣＰＵ２０２の表示制御により、テレビ１０１の表示部２０１に既に接続が確立している旨を知らせるメッセージを表示する。次に、ステップＳ５０４において、テレビ１０１側のＣＰＵ２０２は、ユーザによりリモコン等の操作によって接続の切り替えが選択されたか否かを判断する。この判断の結果、接続の切り替えが選択されなかった場合は、そのまま処理を終了する。
【００３４】
一方、ステップＳ５０４の判断の結果、接続の切り替えが選択された場合は、ステップＳ５０５に進む。そして、ステップＳ５０５において、テレビ１０１側からＵＷＢ無線通信部２０８を介してプリンタ１０２へ「ＷＨＤＭＩ停止、ＷＵＳＢ開始」のコマンドをＣＥＣ（Consumer Electronics Control）によって送信する。さらに、ＣＰＵ２０２は、ＷＨＤＭＩ  ＳｉｎｋからＷＵＳＢ  Ｄｅｖｉｃｅによる通信制御に切り替える。次に、ステップＳ５０６において、テレビ１０１側のＵＳＢ  Ｄｅｖｉｃｅ２０６は、プリンタ１０２との間でネゴシエーションを行い、ステップＳ５０７において、接続処理を完了する。
【００３５】
一方、プリンタ１０２側の処理については、ステップＳ５０８においては、図４に示した手順で記録メディアがプリンタ１０２に挿入されてＷＨＤＭＩの接続が確立している状態である。そして、「ＷＨＤＭＩ停止、ＷＵＳＢ開始」のコマンドを、ＵＷＢ無線通信部２５８を介して受信すると、ステップＳ５０９において、ＣＰＵ２５２は、ＷＨＤＭＩ  ＳｏｕｒｃｅからＷＵＳＢ  Ｈｏｓｔによる通信制御に切り替える。次に、ステップＳ５１０において、プリンタ１０２側のＵＳＢ  Ｈｏｓｔ２５６は、テレビ１０１との間でネゴシエーションを行い、ステップＳ５１１において、接続処理を完了する。
【００３６】
図６は、本実施形態において、テレビ１０１に記録メディアが挿入されて接続が確立した状態で、プリンタ１０２に記録メディアが挿入された場合の接続処理手順の一例を示すフローチャートである。
テレビ１０１側の処理については、まず、ステップＳ６０１においては、図３に示した手順で記録メディアがテレビ１０１に挿入されてＷＵＳＢの接続が確立している状態である。
【００３７】
そして、後述する「ＷＵＳＢ停止、ＷＨＤＭＩ開始」のコマンドを、ＵＷＢ無線通信部２０８を介して受信すると、ステップＳ６０２において、ＣＰＵ２０２は、ＷＵＳＢ  ＤｅｖｉｃｅからＷＨＤＭＩ  Ｓｉｎｋによる通信制御に切り替える。次に、ステップＳ６０３において、テレビ１０１側のＨＤＭＩ  Ｓｉｎｋ２０５は、プリンタ１０２との間でネゴシエーションを行い、ステップＳ６０４において、接続処理を完了する。
【００３８】
一方、プリンタ１０２側の処理については、ステップＳ６０５においては、図３に示した手順で記録メディアがテレビ１０１に挿入されてＷＵＳＢの接続が確立している状態である。ここで、プリンタ１０２の記録メディアスロット２５４に記録メディアが挿入されると、ステップＳ６０６において、プリンタ１０２側のＣＰＵ２５２は記録メディアが挿入されたことを認識する。
【００３９】
次に、ステップＳ６０７において、ＣＰＵ２５２の表示制御により、プリンタ１０２の表示部２５１に既に接続が確立している旨を知らせるメッセージを表示する。次に、ステップＳ６０８において、プリンタ１０２側のＣＰＵ２５２は、ユーザによりリモコン等の操作によって接続の切り替えが選択されたか否かを判断する。この判断の結果、接続の切り替えが選択されなかった場合は、そのまま処理を終了する。
【００４０】
一方、ステップＳ６０８の判断の結果、接続の切り替えが選択された場合は、ステップＳ６０９に進む。そして、ステップＳ６０９において、プリンタ１０２側からＵＷＢ無線通信部２５８を介してテレビ１０１へ「ＷＵＳＢ停止、ＷＨＤＭＩ開始」のコマンドをＣＥＣによって送信する。さらに、ＣＰＵ２５２は、ＷＵＳＢ  ＨｏｓｔからＷＨＤＭＩ  Ｓｏｕｒｃｅによる通信制御に切り替える。次に、ステップＳ６１０において、プリンタ１０２側のＨＤＭＩ  Ｓｏｕｒｃｅ２５５は、テレビ１０１との間でネゴシエーションを行い、ステップＳ６１１において、接続処理を完了する。
【００４１】
以上のように本実施形態によれば、既に接続が確立された状態において、特に通信プロトコル（ＵＳＢ、ＨＤＭＩ）を意識する必要はなく、記録メディアの抜き差しを行うのみで接続形態を切り替えることができる。具体的には、例えば、ユーザがテレビで画像の閲覧を行うためにテレビに記録メディアを挿入すると、プリンタとの接続形態が切り替わり、お気に入りの画像をすぐに印刷できる状態となる。また、ユーザがプリンタでダイレクト印刷を行うためにプリンタに記録メディアを挿入すると、テレビとの接続形態が切り替わり、印刷メニューやレイアウトをテレビ画面で確認できる状態となる。
【００４２】
（第３の実施形態）
本実施形態では、どちらかの機器の電源がＯＦＦの状態で、もう一方の機器に記録メディアを挿入した場合について説明する。なお、テレビ及びプリンタの内部構成については、第１の実施形態と同様であるため、説明は省略する。
【００４３】
図７は、本実施形態において、プリンタ１０２の電源がＯＦＦの状態で、テレビ１０１に記録メディアが挿入された場合の接続処理手順の一例を示すフローチャートである。
テレビ１０１側の処理については、まず、ステップＳ７０１においては、図４のステップＳ４０１〜Ｓ４０３の手順により、テレビ１０１はＷＨＤＭＩ  Ｓｉｎｋによる通信制御となっている。そのときプリンタ１０２は、電源ＯＦＦの状態にされたものとする。
【００４４】
ここで、テレビ１０１の記録メディアスロット２０４に記録メディアが挿入されると、ステップＳ７０２において、テレビ１０１側のＣＰＵ２０２は記録メディアが挿入されたことを認識する。次に、ステップＳ７０３において、テレビ１０１側のＣＰＵ２０２は、プロトコルの切り替えを行い、ＷＨＤＭＩ  ＳｉｎｋからＷＵＳＢ  Ｄｅｖｉｃｅによる通信制御に切り替える。そして、ＵＳＢ  Ｄｅｖｉｃｅ２０６は、既にＵＳＢ  Ｈｏｓｔの通信制御のプリンタを検索する。
【００４５】
ところが、このときプリンタ１０２側の電源はＯＦＦであり、テレビ１０１側はプリンタ１０２を発見することができない。このため、一定期間が経過した後にステップＳ７０４において、ＣＰＵ２５２の表示制御により、テレビ１０１の表示部２０１にその旨を知らせるメッセージを表示する。
【００４６】
このメッセージを確認したユーザにより、プリンタ１０２の電源がＯＮにされると、プリンタ１０２はＷＵＳＢ  Ｈｏｓｔによる通信制御を開始する。これにより、ステップＳ７０５において、既に起動中のテレビ１０１側のＵＳＢ  Ｄｅｖｉｃｅ２０６は、プリンタ１０２を探し当てる。そして、プリンタ１０２とのネゴシエーションを行い、ステップＳ７０６において、接続処理を完了する。
【００４７】
一方、プリンタ１０２側の処理については、ステップＳ７０７において、プリンタ１０２は電源ＯＦＦの状態にある。そして、ステップＳ７０８において、不図示の電源スイッチが操作されて入力信号が入力処理部２５３に入力されることにより、ＣＰＵ２５２は、プリンタ１０２全体の電源をＯＮにする。次に、ステップＳ７０９において、プリンタ１０２側のＣＰＵ２５２の制御により、ＷＵＳＢ  Ｈｏｓｔによる通信制御を開始する。
【００４８】
次に、ステップＳ７１０において、プリンタ１０２側のＵＳＢ  Ｈｏｓｔ２５６は、既にＷＵＳＢ  Ｄｅｖｉｃｅによる通信制御のテレビ１０１を検索し、検索したテレビ１０１との間でネゴシエーションを行う。そして、ステップＳ７１１において、接続処理を完了する。
【００４９】
図８は、本実施形態において、テレビ１０１の電源がＯＦＦの状態で、プリンタ１０２に記録メディアが挿入された場合の接続処理手順の一例を示すフローチャートである。
テレビ１０１側の処理については、まず、ステップＳ８０１において、テレビ１０１は電源ＯＦＦの状態にある。そして、ステップＳ８０２において、不図示の電源スイッチが操作されて入力信号が入力処理部２０３に入力されることにより、ＣＰＵ２０２は、テレビ１０１全体の電源をＯＮにする。次に、ステップＳ８０３において、テレビ１０１側のＣＰＵ２０２の制御により、ＷＨＤＭＩ  Ｓｉｎｋによる通信制御を開始する。
【００５０】
次に、ステップＳ８０４において、テレビ１０１側のＨＤＭＩ  Ｓｉｎｋ２０５は、既にＷＨＤＭＩ  Ｓｏｕｒｃｅによる通信制御のプリンタ１０２を検索し、検索したプリンタ１０２との間でネゴシエーションを行う。そして、ステップＳ８０５において、接続処理を完了する。
【００５１】
一方、プリンタ１０２側の処理については、ステップＳ８０６においては、図３のステップＳ３０８〜Ｓ３１０の手順により、プリンタ１０２はＷＵＳＢ  Ｈｏｓｔによる通信制御となっている。そのときテレビ１０１は、電源ＯＦＦの状態にされたものとする。
【００５２】
ここで、プリンタ１０２の記録メディアスロット２５４に記録メディアが挿入されると、ステップＳ８０７において、プリンタ１０２側のＣＰＵ２５２は記録メディアが挿入されたことを認識する。次に、ステップＳ８０８において、プリンタ１０２側のＣＰＵ２５２は、プロトコルの切り替えを行い、ＷＵＳＢ  ＨｏｓｔからＷＨＤＭＩ  Ｓｏｕｒｃｅによる通信制御に切り替える。そして、ＨＤＭＩ  Ｓｏｕｒｃｅ２５５は、既にＷＨＤＭＩ  Ｓｉｎｋによる通信制御のテレビ１０１を検索する。
【００５３】
ところが、このときテレビ１０１側の電源はＯＦＦであり、プリンタ１０２側はテレビ１０１を発見することができない。このため、一定期間が経過した後にステップＳ８０９において、ＣＰＵ２５２の表示制御により、プリンタ１０２の表示部２５１にその旨を知らせるメッセージを表示する。
【００５４】
このメッセージを確認したユーザにより、テレビ１０１の電源がＯＮにされると、テレビ１０１はＷＨＤＭＩ  Ｓｉｎｋによる通信制御を開始する。これにより、ステップＳ８１０において、既に起動中のプリンタ１０２側のＨＤＭＩ  Ｓｏｕｒｃｅ２５５は、テレビ１０１を探し当てる。そして、テレビ１０１とのネゴシエーションを行い、ステップＳ８１１において、接続処理を完了する。
【００５５】
以上のように本実施形態によれば、接続相手が見つからない場合であっても、電源が投入されることにより、接続を確立することができる。
【００５６】
（第４の実施形態）
本実施形態では、テレビとプリンタとに同時に記録メディアを挿入した場合について説明する。なお、テレビ及びプリンタの内部構成については、第１の実施形態と同様であるため、説明は省略する。
【００５７】
図９は、本実施形態において、テレビ１０１とプリンタ１０２とに同時に記録メディアが挿入された場合の接続処理手順の一例を示すフローチャートである。
テレビ１０１側の処理については、まず、ステップＳ９０１において、図４のステップＳ４０１〜Ｓ４０３の手順により、テレビ１０１はＷＨＤＭＩ  Ｓｉｎｋによる通信制御となっている。
【００５８】
ここで、テレビ１０１の記録メディアスロット２０４に記録メディアが挿入されると、ステップＳ９０２において、テレビ１０１側のＣＰＵ２０２は記録メディアが挿入されたことを認識する。この時、同時にプリンタ１０２側でも記録メディアが挿入されたものとする。次に、ステップＳ９０３において、テレビ１０１側のＣＰＵ２０２は、プロトコルの切り替えを行い、ＷＨＤＭＩ  ＳｉｎｋからＷＵＳＢ  Ｄｅｖｉｃｅによる通信制御に切り替える。そして、ＵＳＢ  Ｄｅｖｉｃｅ２０６は、既にＵＳＢ  Ｈｏｓｔによる通信制御のプリンタを検索する。
【００５９】
テレビ１０１側では、ＷＵＳＢ  Ｈｏｓｔによる通信制御の機器との接続待ち状態となるが、プリンタ１０２側でも記録メディアが挿入されたため、プリンタ１０２側ではＷＨＤＭＩ  Ｓｉｎｋによる通信制御の機器との接続待ち状態になる。この結果、テレビ１０１側では接続相手が見つからないため、一定期間が経過した後にステップＳ９０４において、ＣＰＵ２０２の表示制御により、テレビ１０１の表示部２０１にその旨を知らせるメッセージを表示する。
【００６０】
このメッセージを確認したユーザがプリンタ１０２に挿入されている記録メディアを取り外すと、プリンタ１０２は再びＷＵＳＢ  Ｈｏｓｔによる通信制御として起動する。これにより、ステップＳ９０５において、ＷＵＳＢ  Ｄｅｖｉｃｅによる通信制御であるテレビ１０１側のＵＳＢ  Ｄｅｖｉｃｅ２０６は、プリンタ１０２を探し当てる。そして、プリンタ１０２との間でネゴシエーションを行い、ステップＳ９０６において、接続処理を完了する。
【００６１】
一方、プリンタ１０２側の処理については、ステップＳ９０７においては、図３のステップＳ３０８〜Ｓ３１０の手順により、プリンタ１０２はＷＵＳＢ  Ｈｏｓｔによる通信制御となっている。
【００６２】
ここで、プリンタ１０２の記録メディアスロット２５４に記録メディアが挿入されると、ステップＳ９０８において、プリンタ１０２側のＣＰＵ２５２は記録メディアが挿入されたことを認識する。この時、同時にテレビ１０１側でも記録メディアが挿入されたものとする。次に、ステップＳ９０９において、プリンタ１０２側のＣＰＵ２５２は、プロトコルの切り替えを行い、ＷＵＳＢ  ＨｏｓｔからＷＨＤＭＩ  Ｓｏｕｒｃｅによる通信制御に切り替える。そして、ＨＤＭＩ  Ｓｏｕｒｃｅ２５５は、既にＷＨＤＭＩ  Ｓｉｎｋによる通信制御のテレビ１０１を検索する。
【００６３】
前述と同様、プリンタ１０２側では、ＷＨＤＭＩ  Ｓｉｎｋによる通信制御の機器との接続待ち状態となるが、テレビ１０１側でも記録メディアが挿入されたため、テレビ１０１側ではＷＵＳＢ  Ｈｏｓｔによる通信制御の機器との接続待ち状態になる。この結果、プリンタ１０２側では接続相手が見つからないため、一定期間が経過した後にステップＳ９１０において、ＣＰＵ２５２の表示制御により、プリンタ１０２の表示部２５１にその旨を知らせるメッセージを表示する。
【００６４】
このメッセージを確認したユーザにより、プリンタ１０２の記録メディアスロット２５４に挿入されている記録メディアが取り外されると、ステップＳ９１１において、プリンタ１０２側のＣＰＵ２５２は記録メディアが取り外されたことを認識する。そして、ステップＳ９１２において、プリンタ１０２側のＣＰＵ２５２は、プロトコルの切り替えを行い、ＷＨＤＭＩ  ＳｏｕｒｃｅからＷＵＳＢ  Ｈｏｓｔによる通信制御に切り替える。
【００６５】
そして、ステップＳ９１３において、ＷＵＳＢ  Ｈｏｓｔによる通信制御であるプリンタ１０２側のＵＳＢ  Ｈｏｓｔ２５６は、テレビ１０１を探し当てる。そして、テレビ１０１との間でネゴシエーションを行い、ステップＳ９１４において、接続処理を完了する。
【００６６】
なお、図９においては、プリンタ１０２の記録メディアを取り外した場合の処理手順を示しているが、テレビ１０１の記録メディアを取り外した場合も同様である。この場合、テレビ１０１側ではＷＨＤＭＩ  Ｓｉｎｋによる通信制御となり、プリンタ１０２側ではＷＨＤＭＩ  Ｓｏｕｒｃｅによる通信制御として接続が完了する。
【００６７】
以上のように本実施形態によれば、例えば、異なるユーザがテレビ及びプリンタのそれぞれに同時に記録メディアを挿入した場合でも、それぞれの機器に接続相手が見つからない旨を知らせるメッセージが表示される。そして、表示を確認したユーザがどちらかの機器の記録メディアを取り外すことにより、所望の接続形態を維持もしくは切り替えることが可能となる。
【００６８】
（本発明に係る他の実施形態）
前述した本発明の各実施形態は、本発明を説明するための一例にすぎず、各実施形態を適宜組み合わせることも可能である。
前述した本発明の実施形態における表示装置及び印刷装置を構成する各手段、並びに表示装置及び印刷装置の制御方法の各工程は、各装置がコンピュータのＲＡＭやＲＯＭなどに記憶されたプログラムにしたがい動作することによって実現できる。このプログラム及び前記プログラムを記憶したコンピュータ読み取り可能な記憶媒体は本発明に含まれる。
【００６９】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００７０】
なお、本発明は、前述した実施形態の機能を実現するソフトウェアのプログラム（実施形態では図３〜図９に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００７１】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００７２】
その場合、プログラムの機能を有していれば、オブジェクトコード、インタプリタにより実行されるプログラム、ＯＳに供給するスクリプトデータ等の形態であってもよい。
【００７３】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００７４】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記憶媒体にダウンロードすることによっても供給できる。
【００７５】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００７６】
また、その他の方法として、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００７７】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００７８】
さらに、その他の方法として、まず記憶媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００７９】
【図１】本発明の第１の実施形態に係る印刷システムの一例を示す図である。
【図２】本発明の第１の実施形態に係るテレビ及びプリンタの概略構成例を示すブロック図である。
【図３】本発明の第１の実施形態において、テレビ側に記録メディアが挿入された場合の電源投入から無線接続が確立されるまでの動作手順の一例を示すフローチャートである。
【図４】本発明の第１の実施形態において、プリンタ側に記録メディアが挿入された場合の電源投入から無線接続が確立されるまでの動作手順の一例を示すフローチャートである。
【図５】本発明の第２の実施形態において、プリンタに記録メディアが挿入されて接続が確立した状態で、テレビに記録メディアが挿入された場合の接続処理手順の一例を示すフローチャートである。
【図６】本発明の第２の実施形態において、テレビに記録メディアが挿入されて接続が確立した状態で、プリンタに記録メディアが挿入された場合の接続処理手順の一例を示すフローチャートである。
【図７】本発明の第３の実施形態において、プリンタの電源がＯＦＦの状態で、テレビに記録メディアが挿入された場合の接続処理手順の一例を示すフローチャートである。
【図８】本発明の第３の実施形態において、テレビの電源がＯＦＦの状態で、プリンタに記録メディアが挿入された場合の接続処理手順の一例を示すフローチャートである。
【図９】本発明の第４の実施形態において、テレビとプリンタとに同時に記録メディアが挿入された場合の接続処理手順の一例を示すフローチャートである。
【符号の説明】
【００８０】
１０１  テレビ
１０２  プリンタ
２０１、２５１  表示部
２０２、２５２  ＣＰＵ
２０３、２５３  入力処理部
２０４、２５４  記録メディアスロット
２０５、２５５  ＨＤＭＩ  Ｓｉｎｋ
２０６、２５６  ＵＳＢ  ｄｅｖｉｃｅ
２０７、２５７  コンバージェンス層
２０８、２５８  ＵＷＢ無線通信部
【図１】
2010098692.tif 000003
【図２】
2010098692.tif 000004
【図３】
2010098692.tif 000005
【図４】
2010098692.tif 000006
【図５】
2010098692.tif 000007
【図６】
2010098692.tif 000008
【図７】
2010098692.tif 000009
【図８】
2010098692.tif 000010
【図９】
2010098692.tif 000011